(57)【要約】【課題】紙幣を収容する袋体と、該袋体の胴部に巻着する水引等から成る祝儀袋において、水引５を取り付けたまま紙幣が出し入れ可能であるとともに、袋体の表に袋体を構成する紙の表裏面が現れるようにした意匠性の高い祝儀袋を提案する。【解決手段】一枚の略矩形状の打抜加工された紙を袋状に折り畳んで形成した袋体１０と該袋体１０の胴部に巻着した水引５で構成される祝儀袋１において、袋体１０内部に上方に開口する袋９を形成するとともに、袋体１０の表に袋体１０を構成する紙の表裏を現出させた。前記袋体には、紙幣台に形成した挟持片に挟持された紙幣を挿入した。【選択図】      図２
2004155470.tif 000002
【特許請求の範囲】
【請求項１】
一枚の略矩形状の打抜加工された源紙を袋状に折り畳んで形成した袋体と該袋体の胴部に巻着した水引で構成される祝儀袋において、
源紙の表裏を異なる色で構成するとともに、源紙の上下略中央を谷折して、更に、上下方向の折目で折り込んで、上方を開口し、且つ、源紙の裏の一部が表面に現出する袋体を構成することを特徴とする祝儀袋。
【請求項２】
請求項１に記載の祝儀袋において、
前記源紙を、縦二本、横二本の折目を構成して三行三列に区画し、一列目の二行と三行との間に切り込みを形成することを特徴とする祝儀袋。
【請求項３】
請求項１又は請求項２に記載の祝儀袋において、
前記袋体に、挟持片を形成して紙幣を挟持する紙幣台を挿入可能に構成したことを特徴とする祝儀袋。
【発明の詳細な説明】
【０００１】
【発明の属する技術分野】
本発明は、慶弔時に使用される祝儀袋・不祝儀袋に関する。
【０００２】
【従来の技術】
従来、祝儀袋や金封・熨斗袋・不祝儀袋等の紙幣を収納する袋では、紙を折り畳んで複数の紙片が重なりあった形状の袋体とし、該袋体の胴部に水引を巻着して構成されている。一般的な構造とされるものは、一枚の紙（源紙）に左右略均等に縦方向に二つの折目を形成して左右部を左右中心に重ねるよう折り畳んだ後、上下略均等に横方向に二つの折目を形成して上下両部を上下中心側に折り畳んで袋体を形成し、該袋体の表面側に熨斗が付されるとともに、該袋体の上下略中央の胴部に水引が巻着されている。
【０００３】
従来の祝儀袋に紙幣を入れる時は、まず、本体から水引を取り外し、折り曲げられている上下両部を伸ばした後、折り畳まれている紙片を開いて紙幣を入れ、再度元通りに折り畳んで水引を掛ける必要があったので、手間が掛かるという不具合がある。
特に、水引は逸脱を防止するため袋体の胴部に嵌合するように構成されており、その着脱において、袋体を左右から抑えて撓ませて外さねばならず袋体が崩れてしまったり、また、整えられている水引が崩れてしまったりする不具合がある。
【０００４】
そこで、例えば、特許文献１に記載の技術のように、水引を取り外すことなく袋体への紙幣の出し入れをすることができるようにされた祝儀袋の構造が提案されている。
特許文献１に記載の技術では、水引を外さずとも袋体内部の紙幣を出し入れすることができるように、一枚の打ち抜かれた紙を折り畳んで袋状とし、紙厚のある袋体を形成して、祝儀袋や不祝儀袋としての重厚感を付加することができるようにしたものである。
【０００５】
【特許文献１】
特開２０００−１２８１８３号公報
【０００６】
【発明が解決しようとする課題】
しかし、従来の技術では封筒状となるため、高級感を出すことは難しく、低額用となってしまうのである。そこで、本発明では、上述の従来技術に鑑み、一枚の紙を折り上げて袋体を形成しながらも、祝儀袋の表に紙の表裏を現出させるようにして祝儀袋としての意匠性を高めるとともに、水引の脱着無く紙幣の挿脱をすることが可能な金封の構成を提案する。
【０００７】
【課題を解決するための手段】
本発明の解決しようとする課題は以上の如くであり、次にこの課題を解決するための手段を説明する。
【０００８】
即ち、請求項１においては、一枚の略矩形状の打抜加工された源紙を袋状に折り畳んで形成した袋体と該袋体の胴部に巻着した水引で構成される祝儀袋において、源紙の表裏を異なる色で構成するとともに、源紙の上下略中央を谷折して、更に、上下方向の折目で折り込んで、上方を開口し、且つ、源紙の裏の一部が表面に現出する袋体を構成するものである。
【０００９】
請求項２においては、請求項１に記載の祝儀袋において、前記源紙を、縦二本、横二本の折目を構成して三行三列に区画し、一列目の二行と三行との間に切り込みを形成するものである。
【００１０】
請求項３においては、請求項１又は請求項２に記載の祝儀袋において、前記袋体に、挟持片を形成して紙幣を挟持する紙幣台を挿入可能に構成したものである。
【００１１】
【発明の実施の形態】
次に、発明の実施の形態を説明する。
図１は本発明の実施例に係る祝儀袋の全体的な構成を示した正面図である。
図２は祝儀袋の袋体の展開図、図３乃至図９は袋体の折り畳み工程を示す図である。図１０は紙幣台に保持した紙幣を示す図、図１１は祝儀袋の袋体に形成された袋を示す上面図、図１２は祝儀袋の袋体に形成された袋に紙幣台を挿入した状態を示す上面図、図１３は祝儀袋に紙幣を出し入れする様子を示す図である。
【００１２】
図１に示す如く、本発明に係る祝儀袋１は、表に二色の配色が為されて意匠性の高い祝儀袋とされており、そして、水引５を祝儀袋１の袋体１０の胴部から抜き外すこと無く、該祝儀袋１へ紙幣を挿脱可能としている。
なお、本発明に係る祝儀袋の構造は、祝儀袋に限定されるものではなく、紙幣等の金員を包む袋、例えば、金封、熨斗袋、不祝儀袋等にも応用される。
【００１３】
図２に示す如く、祝儀袋１の袋体１０を構成する源紙は、略矩形状であって、複数の切欠及び切り込みが形成された、一枚物の紙であり、表裏に異なる色が付されている。本実施例では、図２における紙面手前側を色面とし、該色面の裏面を白面とする。但し、紙の表裏面の意匠（色・模様）はこれに限定されるものではなく、所望に応じて変更することにより、様々な意匠の袋体１０を形成することができる。
【００１４】
ここでは、紙に形成される各折目によって三行三列の九つの区画に分け、それぞれ、図２に基づいて上下左右を設定し、上右区画１１、上中区画１２、上左区画１３、中右区画１４、中中区画１５、中左区画１６、下右区画１７、下中区画１８、下左区画１９とする。折目は上下左右に二本ずつ設けており、上下略中央（若干下側）に左右方向の折目Ｌｂを設け、上部から若干下側に左右方向の折目Ｌｃ・Ｌｇ・Ｌｆを設け、左右略均等に上下方向の折目Ｌｄ・Ｌｅを形成している。こうして、前記中中区画１５は紙幣３よりも一回り大きいように設計されて紙幣３を収納できるようにしている。中右区画１４と下右区画１７、中中区画１５と下中区画１８、中右区画１４と下右区画１７は、それぞれ略等しい上下左右方向長さに形成されている。
本実施例においては、図２紙面上左側から一列とし、同じく紙面上側から一行と表現する。例えば、中中区画１５は二行二列目に位置することとなる。但し、本発明はこれらの表現に限定されるものではなく、図２に示す袋体１０展開図は上下及び左右反転させることもでき、この場合、行列による表現は適宜変更されるものとする。
【００１５】
次に、紙を折り畳んで袋体１０とする手順に沿って、袋体１０の構造について説明する。
【００１６】
図３に示す如く、まず、中左区画１６と中中区画１５間に形成された折目Ｌａを谷折りして、上左区画１３と上中区画１２とを重合するとともに、中左区画１６と中中区画１５とを重合する。
展開した状態において中左区画１６と下左区画１９、すなわち、一列二行目と一列三行目との間には、三角形の切欠２４が形成されるとともに、中左区画１６・中中区画１５・下左区画１９・下中区画１８の接点まで連続する切り込み２５が形成され、上左区画１３と中左区画１６は下左区画１９を残した状態で他の部分と重合させることができるようにされている。
【００１７】
次に、図４に示す如く、中中区画１５と下中区画１８、及び、中右区画１４と下右区画１７との間に形成された折目Ｌｂを谷折りして、下中区画１８、中中区画１５及び中左区画１６を重合するとともに、下右区画１７と中右区画１４を重合する。
この状態において、紙面手前側から見ると、下左区画１９、下中区画１８及び下右区画１７が白面として表に現出し、上左区画１３、上中区画１２及び上右区画１１が色面として表に現出している。
【００１８】
続いて、図５に示す如く、上左区画１３と中左区画１６間に形成された折目Ｌｃを谷折りして、紙面手前側から、上左区画１３、下中区画１８、中中区画１５及び中左区画１６を重合させる。
【００１９】
続いて、図６に示す如く、下左区画１９と下中区画１８間に形成された折目Ｌｄを谷折りして、下左区画１９上に下中区画１８を重合させ、さらに、中中区画１５と中右区画１４、及び、下右区画１７と下中区画１８間に形成された折目Ｌｅに沿って、中右区画１４と下右区画１７を重合した状態で、谷折りする。
【００２０】
このとき、図７に示す如く、中右区画１４と下右区画１７との間に下左区画１９を挿入する。展開した状態において中右区画１４と下右区画１７間には三角形状の切欠２１が形成されており、下左区画１９を中右区画１４と下右区画１７との間に挿入しやすい状態とするとともに、図８に示す如く、袋体１０の表面において白面の下部形状に変化が付されて、意匠性が向上されている。
【００２１】
そして、図９に示す如く、上右区画１１と中右区画１４との間に形成された折目Ｌｆに沿って山折りし、上右区画１１を中左区画１６及び中右区画１４と、中中区画１５と間に折り込む。さらに、上中区画１２と中中区画１５との間に形成された折目Ｌｇを山折りして、上中区画１２を上右区画１１と中中区画１５との間に折り込む。上中区画１２には、左右に切欠２２・２３が形成されて、紙が重合しがちである袋９内部に上中区画１２の角が折れたり曲がったりすることなく折り込むことができるようにされている。
以上の折り畳み工程によって、袋体１０が折り上げられる。この状態において、袋体１０の表には白面の中右区画１４と、色面の下左区画１９が現出し、袋体１０の裏には白面の中中区画１５が現出している。
【００２２】
最後に、袋体１０の表の中右区画１４に、熨斗６を接着したうえ、袋体１０の胴部に水引５を巻着して、図１に示す祝儀袋１が完成する。なお、所望によって帯４を袋体１０の表に接着することもできる。
上述の如く構成した祝儀袋１は、該祝儀袋１の表に、袋体１０を構成する紙の表裏面である色面と白面とが現出した意匠性の高い祝儀袋１となり、また、紙が複数層に重合されて紙厚感が付され、祝儀・不祝儀袋として重厚感ある祝儀袋１とされている。さらに、祝儀袋１は袋状でありながら、紙幣３を畳んで包むという感覚を与えることができ、従来の紙幣３を包むという感覚を失うことない祝儀袋１とすることができる。
【００２３】
次に、上述の如く折り上げた袋体１０に紙幣３を挿入する。
図１０に示す如く、袋体１０に収納される紙幣３は、紙幣台２に保持されている。紙幣台２は、袋体１０を構成する紙の中中区画１５よりも幾分小さく、紙幣３より幾分大きい。そして、紙幣台２の長尺方向を上下とすると、上下にＵ字状の切り込みが形成されて、挟持片２ａ・２ａが一体的に形成されており、該挟持片２ａ・２ａと紙幣台２本体により紙幣３の長尺方向の端部を挟むことによって、紙幣台２に紙幣３が良好に保持されている。
【００２４】
袋体１０に紙幣３を挿入するときには、折り込まれている上中区画１２と上右区画１１を袋体１０内部から引き出して折目Ｌｆ及び折目Ｌｇを伸ばした状態とすると、図１１及び図１２に示す如く、袋体１０を略上面から見ると、中中区画１５、中左区画１６及び下中区画１８によって袋９が形成されている。該袋９内に、紙幣台２の紙幣３がある面が、中左区画１６及び下中区画１８側に面するようにして、紙幣台２を挿入する。
【００２５】
続いて、上右区画１１と中右区画１４との間に形成された折目Ｌｆに沿って山折りし、上右区画１１を紙幣台２と中中区画１５と間に折り込む。これにより、紙幣台２は上方への動きを規制されて、袋体１０から抜け出ることのない状態となる。このようにして、袋体１０をのり付けしなくとも、紙幣の脱落を防止することができるようにしている。
そして、紙幣３は紙幣台２に固定されることにより、紙幣３が折れたり皺寄ったりすることが無く、また、紙幣台２を厚紙で形成することにより祝儀袋１に程良い強さを付加することができる。さらに、袋体１０の胴部が左右方向に縮められて袋体１０の上部が開口しても、見えるのは中中区画１５と紙幣台２であり、該紙幣台２によって紙幣３が隠蔽されている。
【００２６】
なお、前述の袋体１０の折り畳み工程において、紙幣台２を袋体１０に収納することもできる。すなわち、紙幣台２を、袋体１０が展開されている最初の状態において、中中区画１５上に載置し、紙幣台２を組み込んだ状態で折り畳んでいったり、或いは、袋体１０の折り畳み工程の後期において、折目Ｌｆを折って上右区画１１を袋９内部に折り込む前に紙幣台２を袋９に挿入したりすることもできる。
【００２７】
一方、祝儀袋１から、該祝儀袋１に収納されている紙幣３を取り出すときには、図１２に示す如く、折り込まれている上中区画１２と上右区画１１を袋体１０内部から引き出して折目Ｌｆ及び折目Ｌｇを伸ばし、中中区画１５、中右区画１４及び下中区画１８により形成されている袋９を開口させた状態とし、紙幣台２とともに紙幣３を袋体１０から取り出す。
【００２８】
上述の如く、本発明に係る祝儀袋１では、袋の胴部に巻着されている水引５を脱着することなく、紙幣３を挿脱することができる。従って、祝儀袋１と水引５が、購入時の美しい状態が保持された状態で、祝儀袋１を相手に渡すことができる。
また、一度に多数開封する際には、従来の祝儀袋１の開封作業と比較して、水引５を脱着する作業を省くことができるので、早く処理できる。
さらに、祝儀袋１の袋体をのり付けによる封をしていないので、一旦紙幣３を該祝儀袋１に収納した後でも、確認等のために出し入れすることができ、また、開封作業時に早く処理することができる。
【００２９】
なお、祝儀袋１を受け取った側は、従来の祝儀袋１を開くときと同様に、水引５を袋体１０の胴部から抜き出して、袋体１０を展開して、祝儀袋１に収納されている紙幣３を取り出すこともできる。
【００３０】
【発明の効果】
本発明は、以上のように構成したので、以下に示すような効果を奏する。
【００３１】
即ち、請求項１に示す如く、一枚の略矩形状の打抜加工された源紙を袋状に折り畳んで形成した袋体と該袋体の胴部に巻着した水引で構成される祝儀袋において、源紙の表裏を異なる色で構成するとともに、源紙の上下略中央を谷折して、更に、上下方向の折目で折り込んで、上方を開口し、且つ、源紙の裏の一部が表面に現出する袋体を構成するので、表裏に異なる配色をした紙を使用すれば祝儀袋の表に二色が配置され意匠性が向上される。また、水引を外さずとも、袋体の上部より紙幣を挿脱することができる。
【００３２】
請求項２に示す如く、請求項１に記載の祝儀袋において、前記源紙を、縦二本、横二本の折目を構成して三行三列に区画し、一列目の二行と三行との間に切り込みを形成するので、一行三列目の表裏一面と、三行二列目の表裏他面とを祝儀袋の表に現出することができる。
【００３３】
請求項３に示す如く、請求項１又は請求項２に記載の祝儀袋において、前記袋体に、挟持片を形成して紙幣を挟持する紙幣台を挿入可能に構成したので、紙幣が折れたり曲がったりすることなく良好に保持できるとともに、祝儀袋に程よい剛性を付加できる。
【図面の簡単な説明】
【図１】本発明の実施例に係る祝儀袋の全体的な構成を示した正面図。
【図２】祝儀袋の袋体の展開図。
【図３】袋体の折り畳み工程を示す図。
【図４】袋体の折り畳み工程を示す図。
【図５】袋体の折り畳み工程を示す図。
【図６】袋体の折り畳み工程を示す図。
【図７】袋体の折り畳み工程を示す図。
【図８】袋体の折り畳み工程を示す図。
【図９】袋体の折り畳み工程を示す図。
【図１０】紙幣台に保持した紙幣を示す図。
【図１１】祝儀袋の袋体に形成された袋を示す上面図。
【図１２】祝儀袋の袋体に形成された袋に紙幣台を挿入した状態を示す上面図。
【図１３】祝儀袋に紙幣を出し入れする様子を示す図。
【符号の説明】
１  祝儀袋
２  紙幣台
２ａ  挟持片
３  紙幣
５  水引
１０  袋体
１６  中左区画（一列二行目）
１９  下左区画（一列三行目）
２５  切り込み
【図１】
2004155470.tif 000003
【図２】
2004155470.tif 000004
【図３】
2004155470.tif 000005
【図４】
2004155470.tif 000006
【図５】
2004155470.tif 000007
【図６】
2004155470.tif 000008
【図７】
2004155470.tif 000009
【図８】
2004155470.tif 000010
【図９】
2004155470.tif 000011
【図１０】
2004155470.tif 000012
【図１１】
2004155470.tif 000013
【図１２】
2004155470.tif 000014
【図１３】
2004155470.tif 000015